(57)【要約】【課題】フィットし過ぎるという印象を与えないパンツ型おむつの提供。【解決手段】胴回り方向に延びる前ベルト１８及び後ベルト１９と、前後ベルト間に架け渡される股間パネル１３とを備え、前後ベルトに胴回り方向に延びる複数条の胴回り弾性部材３０が伸長状態で取り付けられ、股間パネルの両側縁部１３ｃ，１３ｄに並行に延びる一対の立体カフ４０を備え、立体カフは股間パネルの両側縁部に並行に延びる固定縁部４０ｃと、上下方向両端部に位置する前接合部４８ａ及び後接合部４８ｂとにおいて股間パネルに接合され、前後接合部の間に延びる自由縁部４０ｄと、自由縁部に伸長状態で取り付けられて前後接合部の間に延びる立体カフ弾性部材４２とを有し、前後接合部が複数条の胴回り弾性部材の内の最下弾性部材３０ｂと交差して上下方向に延びる。【選択図】図２
2015009070.tif 000002
【特許請求の範囲】
【請求項１】
互いに直交する胴回り方向及び上下方向と、着用者の肌に対抗する肌対向面及びその反対側の非肌対向面とを有し、前記胴回り方向に延びる前ベルト及び後ベルトと、前記上下方向に延びて前記前後ベルト間に架け渡される股間パネルとを備え、
前記前後ベルトのそれぞれに、前記胴回り方向に延びる複数条の胴回り弾性部材が伸長状態で取り付けられ、前記上下方向に延びる前記股間パネルの両側縁部のそれぞれに沿って脚回り弾性部材が伸長状態で取り付けられており、前記前後ベルトの側縁部どうしがシーム部において接合されて、前記前後ベルトの上端部により胴回り開口縁が形成されるとともに、前記前後ベルトの下端部の両側と前記股間パネルの両側縁部とにより一対の脚回り開口縁が形成され、
前記股間パネルの肌対向面側に、前記股間パネルの前記両側縁部に並行に延びる一対の立体カフを備え、
前記立体カフが、前記股間パネルの前記両側縁部に並行に延びる固定縁部と、前記立体カフの上下方向両端部に位置する前接合部及び後接合部とにおいて前記股間パネルに接合されるパンツ型おむつであって、
前記前後接合部がそれぞれ複数条の前記胴回り弾性部材のうち最も下に位置する最下弾性部材と交差して前記上下方向に延び、
前記立体カフは、前記前後接合部の間で前記固定縁部に並行して延びるとともに前記股間パネルに接合されていない自由縁部と、前記自由縁部に伸長状態で取り付けられて前記前後接合部の間で前記固定縁部に並行して延びる立体カフ弾性部材とを有することを特徴とする前記パンツ型おむつ。
【請求項２】
前記前ベルト及び後ベルトはそれぞれ前記肌対向面側に位置する肌側シートと、前記非肌対向面側に位置する外側シートとを含み、前記肌側シートと前記外側シートとの間に複数条の前記胴回り弾性部材が取り付けられ、
前記肌側シートと前記外側シートとが、前記胴回り弾性部材に塗布されたホットメルト接着剤のみによって互いに接合されている、請求項１に記載のパンツ型おむつ。
【請求項３】
前記おむつに張力が加わらない条件下で、前記前後ベルト及び前記股間パネルに取り付けられた全ての弾性部材を自由に収縮させた状態のとき、
前記前ベルト側から見た平面視において、前記おむつの前記胴回り方向寸法を二等分して前記上下方向に延びる仮想中心線に関し対称であり、
前記上下方向に延びる前記シーム部の長さＬ１と、
前記おむつを前記前ベルト側から見た平面視において、前記前ベルトの前記下端部より下方に露出する前記股間パネルの前記前ベルト側の両側縁部のいずれか一方の長さＬ２と、
前記おむつを前記後ベルト側から見た平面視において、前記Ｌ２を有する前記股間パネルの前記前ベルト側の前記側縁部から連続して前記後ベルトの前記下端部より下方に露出する前記後ベルト側の前記側縁部の長さＬ３とが、（Ｌ２＋Ｌ３）／Ｌ１≧１．０の関係にある、請求項１または２に記載のパンツ型おむつ。
【請求項４】
前記前後ベルトの少なくともいずれか一方のベルトにおいて、複数条の前記胴回り弾性部材のうち最も下に位置する前記最下弾性部材と、前記前後ベルトの下端とが離間している、請求項１〜３のいずれかに記載のパンツ型おむつ。
【請求項５】
前記前後ベルトの上端と前記下端の離間寸法に対する、前記最下弾性部材と、前記前後ベルトの前記下端との離間寸法の比率が、１２〜２０％である、請求項４に記載のパンツ型おむつ。
【請求項６】
前記前後ベルトの少なくともいずれか一方のベルトにおいて、複数条の前記胴回り弾性部材のうち最も上に位置する最上弾性部材と、前記前後ベルトの上端とが離間している、請求項１〜５のいずれかに記載のパンツ型おむつ。
【請求項７】
前記股間パネルにおいて、前記上下方向に延びる前記両側縁部の各末端と、前記脚回り弾性部材とが離間している、請求項１〜６のいずれかに記載のパンツ型おむつ。
【請求項８】
前記胴回り方向において、前記立体カフの前記固定縁部に対し離間並行する自由縁部の遠位縁と、前記自由縁部に取り付けられた前記立体カフ弾性部材とが離間している、請求項１〜７のいずれかに記載のパンツ型おむつ。
【請求項９】
前記前後ベルトの前記側縁部どうしが、前記前後ベルトの肌対向面どうしを向かい合わせて前記上下方向に延びるシーム部において互いに接合され、前記シーム部から前記前後ベルトを構成する前記肌側シート及び前記外側シートが前記おむつの外側に延び出す、請求項１〜８のいずれかに記載のパンツ型おむつ。
【請求項１０】
前記胴回り弾性部材及び前記脚回り弾性部材が同一の材質及び形状の弾性糸から成り、前記脚回り弾性部材を構成する前記弾性糸の伸長倍率が、前記胴回り弾性部材を構成する前記弾性糸の伸長倍率以上である、請求項１〜９のいずれかに記載のパンツ型おむつ。
【請求項１１】
前記前ベルト及び前記後ベルトの前記上下方向における寸法が同一である、請求項１〜１０のいずれかに記載のパンツ型おむつ。
【発明の詳細な説明】
【技術分野】
【０００１】
この発明は、使い捨てのパンツ型おむつに関し、より詳しくは、使い捨ての低月齢児用パンツ型おむつに関する。
【背景技術】
【０００２】
従来、パンツ型おむつは公知である。例えば、特許文献１には、透液性トップシートが吸収体の両側縁を周り込み吸収体の裏面に延在し固着され、起立カフスを形成する起立シートが、透液性トップシートが周り込んだ吸収体の両側縁をさらに上側から周り込み吸収体の裏面に延在し固着され、固着の始端部が起立カフスの起立端を形成し、起立カフスは自由部分の先端部と根本部の伸縮部材の収縮力により吸収主体の両側部を持ち上げ、ウエスト部に複数の糸状ウエスト伸縮部材を縦方向に一定の間隔で周方向に平行に設け、腰下部は、腰下部領域の６０％以上の縦方向範囲で６２０ｄｔｅｘ以下の腰下伸縮部材をウエスト伸縮部材の間隔より短い間隔で周方向に平行に、吸収体の中央部では不連続に設け股部領域の前身頃も短い間隔で周方向に平行に、吸収体の中央部では不連続に設ける構成の使い捨てパンツ型おむつが開示されている。
【先行技術文献】
【特許文献】
【０００３】
【特許文献１】特開２００９−２６１９８１号公報
【発明の概要】
【発明が解決しようとする課題】
【０００４】
特許文献１によれば、腰下部に複数の伸縮部材を周方向に設けることにより、レッグ開口縁がひらひらとし難く、脚周りがすっきりとして見栄えの良いパンツ型おむつが提供される。特許文献１のパンツ型おむつは、幼児が起立した状態や、はいはいが出来る成長段階から装着させることを想定しており、おむつのズレ落ちることを防ぐために胴回りを締める必要があるとの考えに基づいて設計されている。しかし、低月齢児は幼児と比べて肌が柔らかいため、肌に弾性部材の跡（以下ギャザー跡という）が付き易く、また仰向けに寝た姿勢でいることが多いことなど、起立可能な幼児には見られない特徴を有している。低月齢児の保護者、特に初めて出産した母親は低月齢児の肌の変化に敏感で、ギャザー跡がつくことを嫌う。このため、低月齢児の保護者は、おむつの脚回りがすっきりとしていると、逆に脚回りがフィットし過ぎてギャザー跡がつくことを懸念し、このようなおむつを好まない傾向がみられる。
【０００５】
本発明は、低月齢児用のおむつとして必要なフィット性及び防漏性を維持しつつ、フィットし過ぎるという印象を与えない、低月齢児用のパンツ型おむつを提供することを課題とする。
【課題を解決するための手段】
【０００６】
前記課題を解決するために、本発明は、互いに直交する胴回り方向及び上下方向と、着用者の肌に対抗する肌対向面及びその反対側の非肌対向面とを有し、前記胴回り方向に延びる前ベルト及び後ベルトと、前記上下方向に延びて前記前後ベルト間に架け渡される股間パネルとを備え、前記前後ベルトのそれぞれに、前記胴回り方向に延びる複数条の胴回り弾性部材が伸長状態で取り付けられ、前記上下方向に延びる前記股間パネルの両側縁部のそれぞれに沿って脚回り弾性部材が伸長状態で取り付けられており、前記前後ベルトの側縁部どうしがシーム部において接合されて、前記前後ベルトの上端部により胴回り開口縁が形成されるとともに、前記前後ベルトの下端部の両側と前記股間パネルの両側縁部とにより一対の脚回り開口縁が形成され、前記股間パネルの肌対向面側に、前記股間パネルの前記両側縁部に並行に延びる一対の立体カフを備え、前記立体カフが、前記股間パネルの前記両側縁部に並行に延びる固定縁部と、前記立体カフの上下方向両端部に位置する前接合部及び後接合部とにおいて少なくとも前記股間パネルに接合されるパンツ型おむつに関する。
【０００７】
本発明のパンツ型おむつは、前記前後接合部がそれぞれ複数条の前記胴回り弾性部材のうち最も下に位置する最下弾性部材と交差して前記上下方向に延び、前記立体カフは、前記前後接合部の間で前記固定縁部に並行して延びるとともに前記股間パネルに接合されていない自由縁部と、前記自由縁部に伸長状態で取り付けられて前記前後接合部の間で前記固定縁部に並行して延びる立体カフ弾性部材とを有することを特徴とする。
【発明の効果】
【０００８】
本願のおむつでは、立体カフの両端部を接合する前後接合部が、それぞれ複数条の胴回り弾性部材のうち最も下に位置する最下弾性部材と交差して前記上下方向に延びているので、おむつが装着されたとき、前接合部は前ベルトの胴回り弾性部材の最下弾性部材と股間パネルとが交差する位置において上下方向に延在して、着用者の脚の付け根部に位置する。また、立体カフ弾性部材は前後接合部の間で固定縁部に並行して延びているので、前後接合部には立体カフ弾性部材の伸縮性の影響が及ばない。したがって、おむつが装着されたとき、着用者の脚の付け根部が立体カフ弾性部材により圧迫されることがなく、着用者の脚の付け根部にギャザー跡がつき難い。
【０００９】
また、後述するように、立体カフの前後接合部の最下部が胴回り弾性部材の最下弾性部材よりも下方に位置するので、パンツ型おむつにおいて、立体カフの自由縁部は脚回り開口縁より上方に位置する。したがって、装着させる前のパンツ型おむつの脚回り開口の中に、立体カフの自由縁部が露出する。このようなパンツ型おむつを着用者に装着させると、立体カフの自由縁部が着用者の脚にとともにおむつの外へ突き出され、着用者の脚と脚回り開口縁との間に介在する。この結果、立体カフの自由縁部が脚回り開口縁に沿って延びる脚回り弾性部材と着用者の脚との間に位置して、クッション材として機能するので、着用者の脚にギャザー跡がつくことを防止できる。さらに、脚回り開口縁から突き出した立体カフの自由縁部がフリル状の外観を呈して脚にふんわりとフィットしているように見えるので、フィットし過ぎるという印象を与えることがない。
【図面の簡単な説明】
【００１０】
【図１】本発明に係る低月齢児用パンツ型おむつの一例の斜視図。
【図２】パンツ型おむつを平面状に伸展したときの平面図。
【図３】おむつの分解斜視図。
【図４】図２のＩＶ−ＩＶ線模式断面図。
【図５】図２のＶ−Ｖ線模式断面図。
【図６】おむつの着用状態を表す模式図。
【図７】おむつの各部寸法の説明図。
【発明を実施するための形態】
【００１１】
図１、図２を参照すると、本願の低月齢児用のパンツ型おむつ１０は、互いに直交する胴回り方向Ｘ及び上下方向Ｙと、着用者の肌に対抗する肌対向面及びその反対側の非肌対向面とを有し、胴回り方向Ｘに延びる前ベルト１８及び後ベルト１９と、上下方向Ｙに延びて前後ベルト１８，１９間に架け渡される股間パネル１３とを備える。前後ベルト１８，１９のそれぞれには、胴回り方向Ｘに延びる複数条の胴回り弾性部材３０が伸長状態で取り付けられ、上下方向Ｙに延びる股間パネル１３の両側縁部１３ｃ，１３ｄのそれぞれに沿って脚回り弾性部材３２が伸長状態で取り付けられている。股間パネル１３は、その前後端部１３ａ，１３ｂ（図２参照）が、それぞれ前ベルト１８及び後ベルト１９の中央部に接合されている。また、前後ベルト１８，１９の側縁部１８ｃ，１８ｄ，１９ｃ，１９ｄどうしが接合され、前ベルト１８の上端部１８ａと後ベルト１９の上端部１９ａとにより胴回り開口縁２２が形成され、股間パネル１３の両側縁部１３ｃ，１３ｄと、前ベルト１８及び後ベルト１９の下端部１８ｂ及び下端部１９ｂとにより一対の脚回り開口縁２３が形成される。
【００１２】
図２は、図１のおむつ１０のシーム部２０における前ベルト１８と後ベルト１９との接合を解き、平面状に伸展したときのおむつ１０の平面図である。なお、図１におけるおむつ１０の上下方向Ｙは、図２では紙面縦方向に相当し、胴回り方向Ｘは紙面横方向に相当する。図２に示すように、おむつ１０は、平面状に伸展したときのおむつ１０の胴回り方向Ｘの寸法を二分する仮想中心線Ｐと、平面状に伸展したときのおむつ１０の上下方向寸法を二分する仮想中心線Ｑとに関しほぼ対称となる。別言すれば、本願のパンツ型おむつ１０は前後及び左右の区別が無い。
【００１３】
おむつ１０の前ベルト１８と後ベルト１９は同形同大の矩形形状を有する。前ベルト１８は、胴回り方向Ｘに延びる上端部１８ａ及び下端部１８ｂと、上下端部１８ａ，１８ｂに直交する両側縁部１８ｃ，１８ｄとを有し、後ベルト１９は、胴回り方向Ｘに延びる上端部１９ａ及び下端部１９ｂと、上端部１９ａ及び下端部１９ｂに直交する両側縁部１９ｃ，１９ｄとを有する。互いに対応する前ベルト１８の両側縁部１８ｃ，１８ｄと後ベルト１９の両側縁部１９ｃ，１９ｄの肌対向面どうしを重ね合わせて、上下方向Ｙに延びる一対のシーム部２０において、例えば熱エンボス加工、超音波溶着などの公知の熱溶着手段によって接合したとき、前後ベルト１８，１９の上端部１８ａ，１９ａとで、おむつ１０の胴回り開口縁２２が形成される。一対のシーム部２０の胴回り方向Ｘにおける離間寸法は、上端部１８ａ，１９ａから下端部１８ｂ，１９ｂに向かうに従い大きくなる。前後ベルト１８，１９には胴回り方向Ｘに延びる胴回り弾性部材３０が伸長状態で取り付けられており、股間パネル１３の両側縁部１３ｃ，１３ｄには上下方向Ｙに延びる脚回り弾性部材３２が伸長状態で取り付けられている。
【００１４】
図３に示すように、前後ベルト１８，１９は、それぞれ、１枚の前シート部材２４及び１枚の後シート部材２５を半分に折り返した中に、胴回り方向Ｘに延びる複数条の胴回り弾性部材３０を伸長状態でホットメルト接着剤により接合して形成されている。すなわちこの実施形態では、１枚の前シート部材２４又は後シート部材２５を半分に折り返したときの肌対向面側に位置するシート面が特許請求の範囲に言う肌側シート２６に相当し、非肌対向面側に位置するシート面が外側シート２７に相当する。１枚の前シート部材２４及び１枚の後シート部材２５を厳密に半分に折り返す必要はなく、例えば上下方向Ｙにおいて、肌側シートの寸法の方が外側シートの寸法より大きくてもよい。このように肌側シートの上下方向Ｙの寸法の方が大きいことにより、前後ベルト１８，１９の下端部１８ｂ，１９ｂの着用者に対する肌あたりを柔らかくすることができる。なお、本実施形態のように１枚のシートを折り返して前後ベルト１８，１９の肌側シート２６と外側シート２７を形成する代わりに、肌側シート２６と外側シート２７とを別々のシート部材で形成することもできる。
【００１５】
前後ベルト１８，１９において、肌側シート２６と外側シート２７とは、複数条の胴回り弾性部材３０に塗布されたホットメルト接着剤のみによって互いに接合されている。これにより、隣り合う胴回り弾性部材３０の間にある肌側シート２６及び外側シート２７には、胴回り弾性部材３０の収縮により多数の小さな膨らみが形成され、前後ベルト１８，１９が柔らかな素材で作られているように見え、またおむつ１０を着用者に装着させたときふんわりとフィットしているように見えるので、フィットし過ぎるという印象を与えることがない。
【００１６】
本願のおむつ１０では、前後ベルト１８，１９の少なくともいずれか一方において、複数条の胴回り弾性部材３０のうち最も下に位置する最下弾性部材３０ｂと、前後ベルト１８，１９の下端１８ｆ，１９ｆとが離間している。これにより、前後ベルト１８，１９の下端１８ｆ，１９ｆがフリル状になって、低月齢児の体からひらひらと浮いてふんわりとフィットしているように見えるので、保護者が低月齢児におむつ１０を装着させる際、低月齢児が窮屈に感じていないかなどの不安を感じさせない。この場合、前後ベルト１８，１９の上端１８ｅ，１９ｅと下端１８ｆ，１９ｆの離間寸法に対する、最下弾性部材３０ｂと、前後ベルト１８，１９の下端１８ｆ，１９ｆとの離間寸法の比率が、１２〜２０％、好ましくは１２〜１５％であることが好ましい。
【００１７】
また、前後ベルト１８，１９の少なくともいずれか一方において、複数条の胴回り弾性部材３０のうち最も上に位置する最上弾性部材３０ａと、前後ベルト１８，１９の上端１８ｅ，１９ｅとが１５ｍｍ以内、好ましくは１０ｍｍ以内の範囲で離間していることが好ましい。これにより、最上弾性部材３０ａと前後ベルト１８，１９の上端１８ｅ，１９ｅが丸く膨らんだ形状になり、柔らかそうに見えるので、フィットし過ぎるという印象を与えることがない。さらに、前後ベルト１８，１９を接合するシーム部２０から前後ベルト１８，１９を構成する肌側シート２６及び外側シート２７が１５ｍｍ以内、好ましくは１０ｍｍ以内の範囲でおむつ１０の外側に延び出して、フリル状になっていることが好ましい。これによっても、前後ベルト１８，１９が柔らかな素材で作られているように見え、またおむつ１０を着用者に装着させたときふんわりとフィットしているように見えるので、フィットし過ぎるという印象を与えることがない。
【００１８】
前シート部材２４及び後シート部材２５は、通気性を有する熱可塑性樹脂製の繊維不織布またはプラスチックシートを用いて形成することが好ましい。熱可塑性樹脂製の繊維不織布またはプラスチックシートとして、例えば、単位面積当り質量が約１０〜３０ｇ／ｍ２のＳＭＳ（スパンボンド・メルトブローン・スパンボンド）繊維不織布、スパンボンド不織布、エアスルー不織布、通気性プラスチックシートから成る群から１種または２種以上を選択して用いることができる。
【００１９】
前シート部材２４及び後シート部材２５において胴回り方向Ｘに延びる複数条の胴回り弾性部材３０は、複数条のストランド状又はストリング状の弾性糸で構成されており、ホットメルト接着剤を用いて、折り返されたシート間に伸長状態で接合されている。複数条の弾性糸として、例えば、太さ３１０〜６２０ｄｔｅｘ、好ましくは太さ４００〜６００ｄｔｅｘのゴム紐等の弾性糸を用いて、伸長倍率２．０〜３．５倍、好ましくは伸長倍率２．０〜２．５倍において、折り返した前シート部材２４及び後シート部材２５の間に接合することができる。
【００２０】
図２，３を参照して、股間パネル１３は矩形形状を有し、吸収体１１と、肌対向面側に吸収体１１が接合される内面シート４４と、内面シート４４の非肌対向面側に接合される外面シート４５とを含んで構成される。股間パネル１３は、胴回り方向Ｘに延びる前後端部１３ａ，１３ｂと、上下方向Ｙに延びる両側縁部１３ｃ，１３ｄを有し、股間パネル１３の前後端部１３ａ，１３ｂの非肌対向面が、それぞれ、前ベルト１８及び後ベルト１９の肌対向面の中央部にホットメルト接着剤５１により接合されている。この実施形態では、ホットメルト接着剤５１は、前ベルト１８及び後ベルト１９と、股間パネル１３の前後端部１３ａ，１３ｂとの間に、上下方向Ｙと平行な方向にストライプ状に塗布されている。また、股間パネル１３の両側縁部１３ｃ，１３ｄには、上下方向Ｙに延びる脚回り弾性部材３２が伸長状態で取り付けられている。さらに、股間パネル１３の肌対向面側には、両側縁部１３ｃ，１３ｄに並行して延びる一対の立体カフ４０が設けられている。低月齢児は仰向けの姿勢でいることが多いが、上記のように前後ベルト１８，１９と股間パネル１３との間にホットメルト接着剤５１をストライプ状に塗布することにより、後ベルト１９において、隣接するホットメルト接着剤５１の間で上下方向Ｙに延びる空間が通気孔として機能して、着用者の背側のムレを防止し得るので好ましい。
【００２１】
内面シート４４は、吸収体１１の非肌対向面を完全に覆うことができる面積及び形状を有しており、液不透過性のプラスチックフィルムから形成されている。外面シート４５は、おむつ１０の内面の一部を構成するので、通気性があり肌触りの良い繊維不織布で形成することが好ましい。吸収体１１は、上下方向Ｙにおける中央部が内側に窪んだ砂時計型の形状を有しており、例えば、フラッフパルプ及び超吸収性ポリマー粒子（ＳＡＰ）等の公知の体液吸収性材料をティッシュペーパで包み、液透過性と柔軟性を有する不織布で覆うことにより形成することができるが、これに限定されない。吸収体１１は、内面シート４４の肌対向面の中央部にホットメルト接着剤により接合されている。また、吸収体１１の上下端部１１ａ，１１ｂは、それぞれ前後ベルト１８，１９の胴回り弾性部材３０が存在する部分と重なり合っている。
【００２２】
股間パネル１３を構成する外面シート４５は、胴回り方向Ｘにおける寸法が内面シート４４よりも大きく、内面シート４４に重ね合わされて接合されたとき、胴回り方向Ｘにおいて内面シート４４の両外側に延び出す一対の延出部４６を有する。吸収体１１は一対の延出部４６の間に位置する。各延出部４６において、内面シート４４の側縁に沿って延びる領域には、上下方向Ｙに延びる複数条の脚回り弾性部材３２が伸長状態でホットメルト接着剤により取り付けられている。脚回り弾性部材３２には、胴回り方向Ｘにおいて吸収体１１に最も近い内側弾性部材３２ａと、吸収体１１から最も遠い外側弾性部材３２ｂとが含まれている。
【００２３】
また、外面シート４５の両側縁部では、肌対向面を内側にして折り返してスリーブ４３が形成されており、このスリーブ４３の中に、上下方向Ｙに延びる複数条の立体カフ弾性部材４２が伸長状態でホットメルト接着剤により取り付けられている。スリーブ４３は、股間パネル１３に対し起立可能な立体カフ４０の自由縁部４０ｄの一部を構成する。脚回り弾性部材３２及び立体カフ弾性部材４２には、胴回り弾性部材３０と同様の弾性糸を用いることができる。脚回り弾性部材３２及び立体カフ弾性部材４２の伸長倍率は、２．０〜３．５倍、好ましくは伸長倍率２．０〜２．５倍にすることができる。
【００２４】
脚回り弾性部材３２を構成する弾性糸の伸長倍率は、胴回り弾性部材３０を構成する弾性糸の伸長倍率以上であることが好ましい。詳しくは、低月齢児は歩き回らないのでおむつのズレ落ちを考慮する必要はない。したがって、胴回り弾性部材３０の伸長倍率を、漏れを防ぐために必要最小限まで低くして、低月齢児の腹部にギャザー跡がつくことを防止することは可能である。しかし、この場合、寝た姿勢でいる低月齢児の動きによりおむつ１０がズレ動くおそれがある。脚回り弾性部材３２の伸長倍率を胴回り弾性部材３０の伸長倍率より高くすれば、低月齢児の腹部にギャザー跡がつくことを防止しながら、脚回り弾性部材３２の収縮により低月齢児の体に対するおむつ１０の位置を決めることができる。
【００２５】
図２〜図５に示すように、外面シート４５は外側弾性部材３２ｂに沿って肌対向面を内側にして折り返され、折り返された外面シート４５の間には、内側弾性部材３２ａを含む脚回り弾性部材３２と、内面シート４４の側縁とが挟み込まれる。なお、図３では外面シート４５の折り返し線を一点鎖線で示している。また図４，５ではホットメルト接着剤の図示は省略している。折り返した外面シート４５の対向面どうしの外側弾性部材３２ｂから内側弾性部材３２ａに至る部分が、ホットメルト接着剤により貼り合わされる。おむつ１０が着用されたとき、外面シート４５を折り返して外側弾性部材３２ｂを伸長状態で挟み込んだ部分が股間パネル１３の両側縁部１３ｃ，１３ｄとなり、脚回り開口縁２３の一部を形成して着用者の脚にフィットする。外側弾性部材３２ｂは、股間パネル１３の両側縁部１３ｃ，１３ｄの末端から１５ｍｍ以内、好ましくは１０ｍｍ以内の範囲で離間していることが好ましい。これにより、股間パネル１３の両側縁部１３ｃ，１３ｄがフリル状となり、低月齢児の体からひらひらと浮いてふんわりとフィットしているように見えるので、フィットし過ぎるという印象を与えることがない。
【００２６】
一方、折り返された外面シート４５において内側弾性部材３２ａが存在する位置からスリーブ４３に至る領域により、立体カフ４０が形成される。詳しくは、立体カフ４０は、股間パネル１３の両側縁部１３ｃ，１３ｄに並行に延びる固定縁部４０ｃと、立体カフ４０の上下方向Ｙ両端部４０ａ，４０ｂに位置する前接合部４８ａ及び後接合部４８ｂとにおいて股間パネル１３に接合されている（図２、図４参照）。前後接合部４８ａ，４８ｂはそれぞれ、上下方向に延在して、前後ベルト１８，１９に取り付けられた複数条の胴回り弾性部材３０のうち最も下に位置する最下弾性部材３０ｂと交差する位置に設けられている。また、立体カフ４０は、前後接合部４８ａ，４８ｂの間で固定縁部４０ｃに並行して延び、股間パネル１３に接合されていない自由縁部４０ｄと、自由縁部４０ｄに伸長状態で取り付けられて前後接合部４８ａ，４８ｂの間で固定縁部４０ｃに並行して延びる立体カフ弾性部材４２とを有する。
【００２７】
本実施形態では、立体カフ４０の固定縁部４０ｃは、内側弾性部材３２ａとほぼ重なり合って、股間パネル１３の両側縁部１３ｃ，１３ｄに並行して延びる。この固定縁部４０ｃを基端部として、立体カフ４０の自由縁部４０ｄが股間パネル１３に対し起立する（図５参照）。また、立体カフ４０の上下方向Ｙ両端部４０ａ，４０ｂが股間パネル１３に対し接合される前後接合部４８ａ，４８ｂは、胴回り弾性部材３０のうち最も下に位置する最下弾性部材３０ｂから下方に延び出している（図２参照）。したがって、前後接合部４８ａ，４８ｂの最下部は、最下弾性部材３０ｂよりも下方に位置する（図６参照）。
【００２８】
図４に示すように、本実施形態では、立体カフ４０の両端部４０ａ，４０ｂは、スリーブ４３がおむつ１０の外方に向けて折り返された状態で、前後接合部４８ａ，４８ｂにおいて股間パネル１３に接合されている。このとき、スリーブ４３の内側に取り付けられた立体カフ弾性部材４２も、前後接合部４８ａ，４８ｂにおいて股間パネル１３に対し接合される。
【００２９】
前後接合部４８ａ，４８ｂにおける立体カフ４０の両端部４０ａ，４０ｂと股間パネル１３との接合は、ヒートシール又はホットメルト接着剤を用いて行うことができる。本実施形態では、立体カフ４０の両端部４０ａ，４０ｂは、ヒートシールにより股間パネル１３の肌対向面に接合されている。したがって、前後接合部４８ａ，４８ｂに位置するスリーブ４３の内側に取り付けられた立体カフ弾性部材４２も、ヒートシールにより股間パネル１３に対し接合される。このため、前後接合部４８ａ，４８ｂに立体カフ弾性部材４２が位置していても、立体カフ弾性部材４２の伸縮性が消失している。ヒートシールによる接合は、ホットメルト接着剤と比べて前後接合部４８ａ，４８ｂの上下方向Ｙにおける寸法を一定に制御しやすいので好ましい。
【００３０】
一方、前後接合部４８ａ，４８ｂの間で固定縁部４０ｃに並行して延び、股間パネル１３に接合されていない自由縁部４０ｄに含まれるスリーブ４３には、立体カフ弾性部材４２が伸縮可能に取り付けられている。したがって、おむつ１０が着用されたとき、自由縁部４０ｄは立体カフ弾性部材４２の収縮により股間パネル１３に対し起立した状態になる。
【００３１】
以上のように、立体カフ４０の上下方向Ｙ両端部４０ａ，４０ｂを前後接合部４８ａ，４８ｂにおいて股間パネル１３に接合することにより、前後接合部４８ａ，４８ｂに位置する立体カフ弾性部材４２の伸縮が抑制される。ここで、前接合部４８ａは、複数条の胴回り弾性部材３０の内の最下弾性部材３０ｂと股間パネル１３とが交差する位置において上下方向Ｙに延在するので、おむつ１０が装着されたとき、着用者の脚の付け根部に位置する。本願のおむつ１０では、前記のように前接合部４８ａでの立体カフ弾性部材４２の伸縮が抑制されているので、おむつ１０が装着されたとき、着用者の脚の付け根部が立体カフ弾性部材４２により圧迫されることがない。このため、着用者の脚の付け根部にギャザー跡がつきにくくなる。なお、本実施形態のパンツ型おむつ１０は前後及び左右の区別が無いので、おむつの取り扱いに不慣れな保護者がパンツ型おむつ１０の前後を誤って低月齢児に装着させたとしても、着用者の脚の付け根部にギャザー跡がつくことを防止できる。
【００３２】
また、立体カフ弾性部材４２の伸長倍率は、脚回り弾性部材３２の伸長倍率の伸長倍率とほぼ同じであることが好ましい。これにより、低月齢児の脚に対して同等の収縮力で脚回り弾性部材３２及び立体カフ弾性部材４２が接するので、脚回りからのモレ防止効果を高めることができる。また、低月齢児の脚に対するフィット性を確保するために必要な収縮力を、脚回り弾性部材３２及び立体カフ弾性部材４２に均等に配分することで、どちらか一方のギャザー跡が悪化することを防止できる。
【００３３】
さらに、立体カフ４０の前後接合部４８ａ，４８ｂの最下部が胴回り弾性部材３０の内の最下弾性部材３０ｂよりも下方に位置しているので、パンツ型おむつ１０において、立体カフ４０の自由縁部４０ｄは脚回り開口縁２３より上方に位置する。したがって、図１に示すように、装着させる前のパンツ型おむつ１０の脚回り開口の中に、立体カフ４０の自由縁部４０ｄが露出する。このようなパンツ型おむつ１０を低月齢児に装着させると、図６に模式的に示すように、立体カフ４０の自由縁部４０ｄが低月齢児の脚にとともにおむつ１０の外へ突き出され、低月齢児の脚と脚回り開口縁２３との間に介在する。この結果、立体カフ４０の自由縁部４０ｄが脚回り開口縁２３に沿って延びる脚回り弾性部材３２と低月齢児の脚との間に位置して、クッション材として機能するので、低月齢児の脚にギャザー跡がつくことを防止できる。さらに、脚回り開口縁２３から突き出した立体カフ４０の自由縁部４０ｄがフリル状の外観を呈して脚にふんわりとフィットしているように見えるので、フィットし過ぎるという印象を与えることがない。
【００３４】
また、外面シート４５を折り返して形成される立体カフ４０のスリーブ４３の折り返し部は、固定縁部４０ｃに対し離間並行する自由縁部４０ｄの遠位縁４０ｅとなり、パンツ型おむつ１０を低月齢児に装着させたとき、おむつ１０の外へ突き出される。このスリーブ４３において、自由縁部４０ｄに取り付けられた立体カフ弾性部材４２と、遠位縁４０ｅとが離間していることが好ましい。これにより、スリーブ４３の遠位縁４０ｅがフリル状になるので、低月齢児の脚にふんわりとフィットしている印象をさらに強めることができる。
【００３５】
図７（ａ）〜（ｃ）を参照して、本願のパンツ型おむつ１０は、おむつ１０に張力が加わらない条件下で全ての弾性部材（上記の実施形態では胴回り弾性部材３０、脚回り弾性部材３２、及び立体カフ弾性部材４２）を自由に収縮させた状態のとき、前ベルト１８側から見た平面視において、おむつ１０の胴回り方向Ｘ寸法を二等分して上下方向に延びる仮想中心線Ｑに関し対称であり、上下方向においてシーム部２０に沿って測定される寸法Ｌ１（図７（ａ）参照）と、前ベルト１８側からおむつ１０を見た平面視において、前ベルト１８の下端部１８ｂより下方に露出する股間パネル１３の両側縁部１３ｃ，１３ｄのいずれか一方の寸法Ｌ２（図７（ａ）参照）と、おむつ１０を後ベルト１９側から見た平面視において、寸法Ｌ２を有する前ベルト１８側の側縁部１３ｃ，１３ｄのいずれか一方から連続して後ベルト１９の下端部１９ｂより下方に露出する後ベルト１９側の側縁部１３ｃまたは側縁部１３ｄの長さＬ３（図７（ｂ）参照）とが、（Ｌ２＋Ｌ３）／Ｌ１≧１．０、好ましくは（Ｌ２＋Ｌ３）／Ｌ１≧１．５の関係にある。Ｌ２＋Ｌ３は、おむつ１０の側面視において、前後ベルト１８，１９の下端部１８ａ，１８ｂより下方に露出して、一対の脚回り開口縁２３のいずれか一方の一部を構成する股間パネル１３の側縁部１３ｃまたは側縁部１３ｄの周長に相当する（図７（ｃ）参照）。
【００３６】
Ｌ１，Ｌ２，Ｌ３が上記の関係にあることにより、おむつ１０を着用者に装着させたとき、着用者の股下に延び出す股間パネル１３の面積の方が、胴回りを締め付けている前後ベルト１８，１９の面積よりも大きく見える。このように股間パネル１３の方が前後ベルト１８，１９よりも大きく見えることにより、あたかもおむつの胴回りを締め付ける力が弱く着用者の股下側にずれた位置にあり、所謂ゴムのゆるいパンツを履いていることを連想させるので、フィットし過ぎるという印象を与えることがない。おむつ１０の前ベルト１８及び後ベルト１９は同形同大であることが好ましい。
【００３７】
Ｌ１，Ｌ２，Ｌ３の具体的測定方法は次の通りである。
＜Ｌ１，Ｌ２の測定＞
水平面を有する台の上に、おむつ１０の後ベルト１９が水平面に当接するようにして載置する。次に、おむつ１０の真上から、スケールが分かるようにしておむつ１０を前ベルト１８側から見た写真を撮影する。得られた写真におけるおむつ１０の輪郭から、前ベルト１８のいずれか一方のシーム部２０の上端と下端とを直線的に結ぶ線分の長さを測定し、Ｌ１とする。次いで、この写真におけるおむつ１０の輪郭から、脚回り開口縁２３の最下端３５を定めるとともに、股間パネル１３の側縁部１３ｃ，１３ｄのいずれか一方、例えば股間パネル１３の側縁部１３ｄにより形成される脚回り開口縁２３と、前ベルト１８の下端部１８ｂとの交点３６を定める。最下端３５と交点３６とを直線的に結ぶ線分の長さを測定し、股間パネル１３の前ベルト１８側の側縁部１３ｄの長さＬ２とする。
＜Ｌ３の測定＞
次に、おむつ１０を反転させ、前ベルト１８が台の水平面に当接するようにして載置する。おむつ１０の真上から、スケールが分かるようにしておむつ１０を後ベルト１９側から見た写真を撮影する。この写真におけるおむつ１０の輪郭から、Ｌ２を測定した脚回り開口縁２３と同じ脚回り開口縁２３（すなわち、側縁部１３ｄにより形成される脚回り開口縁２３）、における最下端３５と、脚回り開口縁２３と後ベルト１９の下端部１９ｂとの交点３７を定め、最下端３５と交点３７とを直線的に結ぶ線分の長さを測定し、股間パネル１３の後ベルト１９側の側縁部１３ｄの長さＬ３とする。
＜計算＞
Ｌ１，Ｌ２，Ｌ３の長さはｍｍ単位で求め、小数点以下は四捨五入する。次に、（Ｌ２＋Ｌ３）／Ｌ１の値を計算し、四捨五入して有効数字二桁で表示する。
【００３８】
本願のパンツ型おむつ１０のシーム部２０に沿って測定される寸法Ｌ１は、前ベルト１８の上端部１８ａが着用者の臍に達しないように設定される。寸法Ｌ１の具体的数値は着用者の月齢により異なるが、例えば新生児（生まれてから１月以内）の場合は約６０〜７０ｍｍである。低月齢児の臍は柔らかく、また様々な病気を発症しやすい。このため、低月齢児の臍に刺激を与えないことが好ましく、また病気の発見を容易にするためには、おむつ１０の前ベルト１８で臍を覆わないことが好ましい。本願のパンツ型おむつ１０は、前後ベルト１８，１９の上端部１８ａ，１９ａが着用者の臍に達しないようにすると同時に、フィットし過ぎるという印象を与えないようにするものである。なお、低月齢児の腹部は膨らんでいるため、前後ベルト１８，１９の上端部１８ａ，１９ａが着用者の臍に達しないようにすると、寝た姿勢でいる低月齢児の動きによりおむつ１０がズレ動くおそれがある。しかし、前述のように、脚回り弾性部材３２の伸長倍率を胴回り弾性部材３０の伸長倍率より高くすれば、低月齢児の臍へ刺激を与えないようにしながら、脚回り弾性部材３２の収縮により低月齢児の体に対するおむつ１０の位置を決めることができる。
【００３９】
上記では、矩形の前後ベルト１８，１９、及び股間パネル１３からなる低月齢児用のパンツ型おむつ１０の例について説明したが、本願発明はこれに限定されず、例えば前後ベルト１８，１９の下端部１８ｂ，１９ｂが下方に向けて台形状又は円弧状に突き出す形状であってもよい。また、前ベルト１８と後ベルト１９の上下方向Ｙにおける寸法が等しい例について説明したが、例えば上下方向Ｙにおける寸法が、前ベルト１８よりも後ベルト１９の方が大きい形状であってもよい。また、立体カフ４０を、股間パネル１３を構成する外面シート４５を折り返して形成する例に基づいて説明したが、立体カフ４０を外面シート４５とは別のシート部材で形成して股間パネル１３に接合することもできる。この場合、立体カフ４０の前後接合部４８ａ，４８ｂが、股間パネル１３から前後ベルト１８，１９まで延び出していてもよい。別言すれば、立体カフ４０の前後接合部４８ａ，４８ｂの最下部が複数条の胴回り弾性部材３０の内の最下弾性部材３０ｂよりも下方に位置している限り、立体カフ４０の上下方向両端部４０ａ，４０ｂがそれぞれ、股間パネル１３と前後ベルト１８，１９とに接合されていてもよい。前後接合部４８ａ，４８ｂの最下部は、前後ベルト１８，１９の下端１８ｆ，１９ｆよりも上方に位置してもよいし、下方に位置してもよい。
【００４０】
おむつ１０を構成する各構成部材には、特に明記されていない限りにおいて、本明細書に記載されている材料のほかに、この種の分野において通常用いられている各種公知の材料を制限なく用いることができる。また、「ホットメルト接着剤により接合」とは、特に断りの無い限り、スパイラル状、ドット状、ストライプ状等、公知のパターンでホットメルト接着剤を塗布して接合することを意味する。
【００４１】
以上に記載した本発明の第一の態様に関する開示は、少なくとも下記事項に要約することができる。
互いに直交する胴回り方向及び上下方向と、着用者の肌に対抗する肌対向面及びその反対側の非肌対向面とを有し、胴回り方向に延びる前ベルト及び後ベルトと、上下方向に延びて前後ベルト間に架け渡される股間パネルとを備え、前後ベルトのそれぞれに、胴回り方向に延びる複数条の胴回り弾性部材が伸長状態で取り付けられ、上下方向に延びる股間パネルの両側縁部のそれぞれに沿って脚回り弾性部材が伸長状態で取り付けられており、前後ベルトの側縁部どうしがシーム部において接合されて、前後ベルトの上端部により胴回り開口縁が形成されるとともに、前後ベルトの下端部の両側と股間パネルの両側縁部とにより一対の脚回り開口縁が形成され、股間パネルの肌対向面側に、股間パネルの両側縁部に並行に延びる一対の立体カフを備え、立体カフが、股間パネルの両側縁部に並行に延びる固定縁部と、立体カフの上下方向両端部に位置する前接合部及び後接合部とにおいて股間パネルに接合されるパンツ型おむつであって、前後接合部がそれぞれ複数条の胴回り弾性部材のうち最も下に位置する最下弾性部材と交差して上下方向に延び、立体カフは、前後接合部の間で固定縁部に並行して延びるとともに股間パネルに接合されていない自由縁部と、自由縁部に伸長状態で取り付けられて前後接合部の間で固定縁部に並行して延びる立体カフ弾性部材とを有することを特徴とする。
【００４２】
上記の本発明は、少なくとも下記の実施の形態を含むことができる。
（１）前ベルト及び後ベルトはそれぞれ肌対向面側に位置する肌側シートと、非肌対向面側に位置する外側シートとを含み、肌側シートと外側シートとの間に複数条の胴回り弾性部材が取り付けられ、肌側シートと外側シートとが、胴回り弾性部材に塗布されたホットメルト接着剤のみによって互いに接合されている。
（２）おむつに張力が加わらない条件下で、前後ベルト及び股間パネルに取り付けられた全ての弾性部材を自由に収縮させた状態のとき、前ベルト側から見た平面視において、おむつの胴回り方向寸法を二等分して上下方向に延びる仮想中心線に関し対称であり、上下方向に延びるシーム部の長さＬ１と、おむつを前ベルト側から見た平面視において、前ベルトの下端部より下方に露出する股間パネルの前ベルト側の両側縁部のいずれか一方の長さＬ２と、おむつを後ベルト側から見た平面視において、Ｌ２を有する股間パネルの前ベルト側の側縁部から連続して後ベルトの下端部より下方に露出する後ベルト側の側縁部の長さＬ３とが、（Ｌ２＋Ｌ３）／Ｌ１≧１．０の関係にある。
（３）前後ベルトの少なくともいずれか一方のベルトにおいて、複数条の胴回り弾性部材のうち最も下に位置する最下弾性部材と、前後ベルトの下端とが離間している。
（４）前後ベルトの上端と下端の離間寸法に対する、最下弾性部材と、前後ベルトの下端との離間寸法の比率が、１２〜２０％である。
（５）前後ベルトの少なくともいずれか一方のベルトにおいて、複数条の胴回り弾性部材のうち最も上に位置する最上弾性部材と、前後ベルトの上端とが離間している。
（６）股間パネルにおいて、両側縁部の各末端と、脚回り弾性部材とが離間している。
（７）胴回り方向において、立体カフの固定縁部に対し離間並行する自由縁部の遠位縁と、自由縁部に取り付けられた立体カフ弾性部材とが離間している。
（８）前後ベルトの側縁部どうしが、前後ベルトの肌対向面どうしを向かい合わせて上下方向に延びるシーム部において互いに接合され、シーム部から前後ベルトを構成する肌側シート及び外側シートがおむつの外側に延び出す。
（９）胴回り弾性部材及び脚回り弾性部材が同一の材質及び形状の弾性糸から成り、脚回り弾性部材を構成する弾性糸の伸長倍率が、胴回り弾性部材を構成する弾性糸の伸長倍率以上である。
（１０）前ベルト及び後ベルトの上下方向における寸法が同一である。
【符号の説明】
【００４３】
１０  パンツ型おむつ
１１  吸収体
１３  股間パネル
１３ｃ，１３ｄ  股間パネルの側縁部
１８  前ベルト
１８ａ  前ベルトの上端部
１８ｂ  前ベルトの下端部
１８ｃ，１８ｄ  前ベルトの側縁部
１８ｅ  前ベルトの上端
１８ｆ  前ベルトの下端
１９  後ベルト
１９ａ  後ベルトの上端部
１９ｂ  後ベルトの下端部
１９ｃ，１９ｄ  後ベルトの側縁部
１９ｅ  後ベルトの上端
１９ｆ  後ベルトの下端
２０  シーム部
２２  胴回り開口縁
２３  脚回り開口縁
２６  肌側シート
２７  外側シート
３０  胴回り弾性部材
３０ａ  最上弾性部材
３０ｂ  最下弾性部材
３２  脚回り弾性部材
４０  立体カフ
４０ａ，４０ｂ  立体カフの上下方向両端部
４０ｃ  固定縁部
４０ｄ  自由縁部
４０ｅ  遠位縁
４２  立体カフ弾性部材
４８ａ  前接合部
４８ｂ  後接合部
５１  ホットメルト接着剤
Ｘ  胴回り方向
Ｙ  上下方向
Ｌ１  シーム部の長さ
Ｌ２  股間パネルの前ベルト側の側縁部の長さ
Ｌ３  股間パネルの後ベルト側の側縁部の長さ
【図１】
2015009070.tif 000003
【図２】
2015009070.tif 000004
【図３】
2015009070.tif 000005
【図４】
2015009070.tif 000006
【図５】
2015009070.tif 000007
【図６】
2015009070.tif 000008
【図７】
2015009070.tif 000009